(57)【特許請求の範囲】
【請求項１】
荷積みバスケット１と支持ベース２とから構成され、該支持ベースに支持車輪３が組み込まれ、上部接合部５に関して傾斜している構造体に設けられた後壁４が該バスケットに設けられ、前記バスケット１の傾斜し得る後壁４と側壁とのあいだにプレート７が組み込まれ、該プレートが下部において前記傾斜し得る後壁の側部に残る隙間６を覆い、該プレート７が、バスケット１の各プレート７の回転自在の取り付け手段によってロッドシャフト９にヒンジ結合されてなるスーパーマーケット運搬車であって、
各ロッドシャフト９が１組の突起１１および１２のあいだで延び、
該１組の突起１１および１２が、前記バスケットの内で、前記ロッドシャフト９の下部で傾斜した突起１２と構造体８の斜面１０の傾斜との一致によって決定された安定した位置で構造体８に設けられ、前記支持ベース２と共に一体的な合成樹脂部の本体を構成するバスケット１が、外部に向かって延びて突出したリブ１３を構成し、該リブ１３が、バスケット１の壁の外面に関して落ち込んだ領域１４を構成して、該落ち込んだ領域１４内に広告ポスターを組み込み、該落ち込んだ領域１４の存在にもかかわらず、バスケット１の壁の内側が平坦な表面である
ことを特徴とするスーパーマーケット運搬車。
【請求項２】
前記バスケット１の傾斜し得る後壁４に、子供用のシートが組み込まれ、該シートが、互いに連結された、シートベース１７および背凭れ１８からなると共に前記後壁４に接続された形式のスーパーマーケット運搬車であって、当該バックプレート１８は、上部にフィン１９を有しており、当該フィン１９がバスケット１の側壁の内部によって構成された凹所２０に一致することを特徴とする請求の範囲第１項記載のスーパーマーケット運搬車。
【請求項３】
前記運搬車のベース２に関する車輪構造体３がロッド２１からなるユニオンによって確立され、該ロッドがエラスチックな材料からなる円筒状のブッシング２４を軸方向に通り、前記ロッド２１にナット２３が螺着され、螺着されるとロッド２１が引かれ、該ロッドがブッシング２４の幅に広げられ、ベース２のハウジング２６の内部の圧力に拡大されてなることを特徴とする請求の範囲第１項記載のスーパーマーケット運搬車。
【請求項４】
前記運搬車本体のベース２が後部に向かう延長部２７を決定し、前記荷積みバスケット１の後部の垂直面を越え、該運搬車の後部の対応する車輪をこの延長部２７に組み込み、後部に向かって該運搬車がひっくり返るのを回避するためにサポートの遅れが後部で得られてなることを特徴とする請求の範囲第１項記載のスーパーマーケット運搬車。
【発明の詳細な説明】
スーパーマーケットおよび類似の店において、商品の収集および移動を促進するように顧客の使用のために、通常、運搬車が提供される。
かかる運搬車は、一般的に棒および溶接された棒を備えた金属構造体から製造されているが、最近、合成樹脂構造体による解決策が上回っている。
本発明は、合成樹脂タイプのスーパーマーケット運搬車に関する。これら運搬車の荷積みバスケットは、組み立て時に後壁を有する。当該後壁は上部接合部に対する傾斜を許しており、この方法により車を止めているあいだに他のバスケットの中に１つのバスケットを挿入させることができる。その結果、この方法によりバスケットにより占められる空間は最小である。
運搬車の荷積みバスケットは、さらに、前の部分に向って狭くなる構造を必要とする。その結果、他のバスケットの中にバスケットを挿入することができるのであり、バスケットの傾斜しうる後壁が下に向いて厚さがいくぶん狭くなることを示す必要がある。バスケットの傾きうる後壁が狭いことにより、バスケットのこの壁のエッジと側壁のとのあいだでいくつかの粗悪な開口が生じる。この開口からバスケットの内部に置かれた積荷に属する物が漏れ得る。
これらの開口を避けるために、出願人のスペイン特許第９４００４４４／７号に記載されているように、正方形によって実行される決定策はすでに知られている。
一方、すでに述べた運搬車の傾きうる後壁において、小供用のシートが普通組み込まれている。該運搬物は折りたたみを形成する２つのプレートと、叙上のシートを決定する広げるセットとから構成される。これらのシートは、周知の解決策において現実に抵抗はない。なぜなら、広げた位置での維持が突出したエンドの保持においてのみ決定され、該エンドはシートを構成している２つの部分を構成している。
一方、これらの運搬車に広告を設けるいくつかの試みが行なわれてきたのを見て来たが、いずれも満足のいく結果を出していない。
実際、金属の運搬車の場合には、バスケットの側壁の外側に広告を吊ることはできない。なぜなら、運搬車が他の運搬車の後に収容されるとき、他のバスケット内へのバスケットの貫通を妨害するからである。
これらの金属製の運搬車のばあい広告はバスケットの正面にのみ設けられるが、充分ではないので、容認されない。
合成樹脂の運搬車のばあい、広告のポスターはバスケットの壁の上で重ねられるように設けられ、適切な手段によって固定される。これは叙上の壁に関して優れた配置を決定し、運搬車の取り扱い中にひっかけられる可能性を高め、挿入時にバスケット間が密接し、一方広告ポスターをすぐに劣化させる。その結果、この解決策も受け入れられない。
本発明によれば、適切なタイプの新しい運搬車が提案される。当該運搬車は、公知のタイプの運搬車の叙上の問題点および不便を解決するひじょうに有利な構造的および機能的特徴を提供することを実現することによって開発された。
本発明の目的である。この運搬車は、荷積みバスケットを構成する合成樹脂製の一体ものの本体と、支持ベースとから構成されており、支持車輪が連結され、バスケットは傾きうる後壁を含んでおり、とくに下部において、この傾斜しうる壁と側壁とのあいだに、いくつかのプレートが組み込まれ、当該傾斜しうる壁と側壁との間の結果的に劣悪な隙間を接近させ、前記プレートはヒンジ結合された組み立て構造で設けられ、該組み立て構造は側壁に向って下げることを許し、運搬車の挿入を促進するが、当該プレートは前記隙間の位置を接近された状態で設けられる。
この運搬車において、本発明の目的は、バスケット輪郭の壁が、外へ向って突出するいくつかのリブによって構成されることである。これらのリブのお陰で、バスケット壁は必要な堅さを要求しており、その結果、内部が完全に平坦に表面に有するのであるが、外に向って落下した領域が決定され、広告ポスターが保護された配列に設けられ、当該配列は運搬車のバスケットが他のバスケットの内部に挿入されるときに衝撃を受けることはない。
前記バスケットの側壁の上部に、入って来る部分が段部形状で見られ、子供用のシートのバックシートのいくつかの側壁ウィングが収容され、使用位置での背もたれに子供を安定した状態でシートを維持するいくつかの突起が決定される。
運搬車の支持ベースには後部延長部が設けられ、該延長部はバスケットの背もたれ部の垂直面を越え、該延長部に後部車輪を組み込み、後部に向ってひっくり反る可能性を減じる配置が実現される。
運搬車支持車輪が、圧縮装置によって設けられ、エラスチックなブッシングからなり、膨脹したとき、圧縮されたまま、運搬車のベースに関して車輪の構造体を迅速かつ同時に固着せしめている。
これらすべての観点から、本発明の目的である運搬車は、同じタイプの公知の運搬車に対しいくつかのひじょうに有利な特徴を示している。
図１は本発明の目的である運搬車の側面図を示している。
図２は前図においてII−IIの表示による半断面の運搬車の正面図である。
図３は後部から運搬車を見た図である。
図４は第１図においてIV−IVの表示による運搬車の上面半断面図である。
図５はバスケットの後部の傾斜壁のない運搬車本体の側断面図である。
図６は図１におけるVI−VI切断面に一致する運搬車ベースの半断面図である。
図７は運搬車ベースの下部半分を示した図である。
図８は運搬車バスケットの傾斜しうる後壁と側壁とのあいだの下部の隙間を塞ぐために用いられたプレートの拡正面図である。
図９は、図８に示されたプレートの側面図である。
図１０は図８におけるＸ−Ｘで示された断面図である。
図１１は、適用隙間の閉塞に対応する安定した位置で、図８のプレートの構造体を示す図である。
図１２は、側部に向って退いたままの位置でプレートを備えた前図と同一の図である。
図１３は運搬車の上部の部分詳細斜視図である。
図１４は運搬車車輪の一つの構造体の拡大断面図である。
本発明の目的は、スーパーマーケットおよび類似の店において見られる運搬車である。本発明によればこの運搬車は、一体ものの合成樹脂本体から構成され、荷積みバスケット１と、支持ベース２とを含み、対応する支持ホイールが運搬車の移動のために連結されている３。
このタイプの従来の運搬車に見られるように、荷積みバスケット１は、上部ヒンジ５に関して傾斜しうる構造体に設けられた後壁４を含んでおり、停車中に他の運搬車の中への運搬車の挿入を楽にしている。それゆえ、バスケット１は、前部に向って狭くなる構造を決定し、その結果、叙上の運搬車の挿入が可能である。このバスケット１の構造は、傾きうる後壁４が下向きにいくぶん狭くなることを決定し、その結果、運搬車のバスケット１が他の運搬車のバスケット１が挿入されるとき、後壁の幅が後壁がバスケット１の内部に向って傾斜されることを許している。
これにより、下部において、バスケット１の傾斜しうる後壁４と側壁とのあいだにいくつかの隙間６が存在し、この隙間から、バスケット１の内部に設けられた積荷が落下するという事実の原因となっている。
この問題を解決するために、本発明の目的である運搬車には、いくつかのプレート７が組み込まれる。該プレートはある高さで叙上の隙間６と一致し、その結果、当該プレートがもっとも広い部分においてカバーされたまま積まれたものが該隙間６から落下することが回避される。
これらのプレート７はヒンジ結合された組立体によって締め付けられる。それゆえ、該プレート７がエッジで有する円筒状の側方向に開放した構造体８が存在する。この円筒状の構造体８は、運搬車本体と一体的な部分で構成された対応する締め付けロッド９上で係合する。
プレート７の円筒状の構造体８は、下部において斜面１０と共に構成され、同時にこれらのプレート７の構造体のためのロッド９は１組の突起１１および１２のあいだに構成され、下側１２が傾斜した姿勢であり、好ましくは、プレート７の円筒状の構造体８の斜面１０と同一の傾斜である。
かかる条件下で、叙上のプレート７は、図１１に示されるように、ロッド９の下部で傾斜した突起１２と構造体８の斜面１０の傾斜との一致によって決定された安定した位置で構造体に設けられる傾向がある。当該位置は、隙間が予め見られれるための機能でプレート７が隙間６をカバーすることが予測される位置である。すなわち、バスケット内に収容された品物が隙間６から落下しうることを回避するための位置である。
前記プレート７の閉塞位置から、バスケット１の側壁に向かってプレートが傾斜することができ、見えなくされると、ある運搬車バスケット１への他のバスケットの挿入を妨げない。前記プレート７の回転が起こると、図１２において見られるように、とくに斜面１０および突起１２の傾斜面により当該プレートは強制的に上昇させられる。不安定な位置にあるプレート７は、該プレートが解放されると、叙上のプレート７は下部の安定した閉塞位置に戻る傾向がある。
正面に設けられた先の運搬車バスケット１の内部からバスケットが取り出されると、プレート７は自動的に閉塞位置に戻る傾向があり、常に隙間６の閉塞を確実なものにしている。
側部および正面部におけるバスケット１の輪郭の壁は、外側に向かって突出したいくつかのリブ１３が構成されている。かかるリブ１３により、バスケット１の輪郭は、壁と、平坦な底部と、リブ１３の頂部（crest）によって浮かびあがって外面とを有してなる、適切な堅牢さを得ており、この輪郭が外部における凹所１４の決定を許し、その結果、当該凹所１４内に広告ポスターを設けることができる。他の運搬車のバスケット１の内部にバスケット１を挿入するとき、リブ１３によって構成された外面に対して落ち込んだ状態のために、広告ポスターは近接に対して安全であり、壁の内面が完全に平坦である限り、先の運搬車のバスケットへ１内へのバスケット１の挿入を許している。
広告の組み込みに供された凹所１４のそれぞれには、少なくとも隙間１５が存在する。該隙間はバスケット１の内側に通じており、なんらかの貫通要素により設けられた広告ポスターの外側への押圧を該隙間から実行することができ、該ポスターの抜き取りを容易に開始せしめ、撤去せしめることができる。
バスケット１の内部における壁の平坦面は、運搬車を使用する人が見えるという目的で最前部の壁に広告ポスターが内面に組み込まれ得ることを許す。
傾斜し得る後壁４に、子供用のシートが組み込まれる。該シートは、スライドジョイント（slide joint）によって互いに関連づけられた両方のプレート１７および１８によって形成され、折り畳むことおよび広げることの決定は、使用位置と折り畳み位置とのあいだで設定される。プレート１７の１つはシートベースを構成し、他の１つ１８は背凭れを構成する。
参照されたバックプレート１８は、上部にいくつかの側方向フィン１９を有している。これらのフィン１９は、バスケット１の側壁の内部によって構成された段部の形をとったいくつかの凹所２０と一致し、その結果、いくつかの突起によりシートの折り畳まれた位置において背凭れ１８のしっかりとした支持を許し、図１３に見られるように、この状態を安定的に維持することを決定する。車輪３の運搬車のベース２への組み込みは、一端において径大ヘッド２２を備え、他端においてナット２３を組み込むためのネジを備えたロッド２１によって形成されたコネクションによって確立される。当該ロッド２１は、エラスチックな材料からなる円筒状のブッシング２４と、個々の車輪の対応するサポート２５とを軸方向に通過させる。
運搬車のベース２への車輪３の組み付けを実行するためには、図１４に表されているように、軸方向に組み込まれたロッド２１を備えたブッシング機構２４をベース２に構成されたハウジング２６に導入し、導入が実行されると、ナット２３を締め付ける必要がある。ナット２３を締め付ける際、ブッシング２４を広げつつロッドが引かれる。該ブッシングはハウジング２６の壁に向かって押圧される。該ハウジングは車輪の締め付け３を確実にする。
ナットを緩め、ロッド２１のエラスチックなブッシング２４への軸方向の押圧が停止されると、該ブッシングは元の形状に戻り、ハウジング２６の壁に対する押圧を停止するで、分解も同様に容易に行われる。その結果、必要なときに、たいへん容易に運搬車の車輪を取り替えることができる。
本発明の具体例によれば、前記運搬車ベース２は、バスケット１の水直面を越える後部延長部２７から構成されており、前述の延長部２７に組み込まれた後部の支持車輪３であり、運搬車サポート間の長手方向の空間の増幅を決定し、該サポートから離間したところで重心を残し、運搬車のよりすぐれた安定性が達成され、運搬車のユーザーによって多くのばあいの下向きに押されがちであるが、ハンドル１６上に付与される押圧力に起因する、運搬車を後方にひっくり返してしまう可能性が減少される。
【図１】
0003967775.tif 000002
【図２】
0003967775.tif 000003
【図３】
0003967775.tif 000004
【図４】
0003967775.tif 000005
【図５】
0003967775.tif 000006
【図６】
0003967775.tif 000007
【図７】
0003967775.tif 000008
【図８】
0003967775.tif 000009
【図９】
0003967775.tif 000010
【図１０】
0003967775.tif 000011
【図１１】
0003967775.tif 000012
【図１２】
0003967775.tif 000013
【図１３】
0003967775.tif 000014
【図１４】
0003967775.tif 000015